(57)【要約】【課題】保管庫において、除菌効果を備えつつ作業者の作業性を向上させる。【解決手段】保管庫１では、センサ９によって左方の引戸５が開状態とされたことを検出されると、イオン発生装置２は左方の吹き出し口３から負イオンを吹き出し、センサ９によって右方の引戸５が開状態とされたことを検出されると、イオン発生装置２は右方の吹き出し口３から負イオンを吹き出し、そして、センサ９によって双方の引戸５が閉状態とされたことが検出されると、イオン発生装置２は左右双方の吹き出し口３から正イオンと負イオンを吹き出す。【選択図】図１
2008161530.tif 000002
【特許請求の範囲】
【請求項１】
閉鎖可能な物品の収納空間と、当該収納空間に正イオンと負イオンとを発生させるイオン発生手段と、当該収納空間を開閉させる開閉手段とを含む保管庫であって、
前記イオン発生手段は、正イオンおよび負イオンを発生させる第１のモードと、負イオンを発生させる第２のモードとで運転可能であり、
前記イオン発生手段の運転モードを前記第１のモードと前記第２のモードとで切り替えることができる制御手段をさらに含む、保管庫。
【請求項２】
前記開閉手段は、収納空間の第１の部分と第２の部分を開状態とし、
前記イオン発生手段は、前記第１の部分に向けて負イオンを発生させる第１の発生手段と、前記第２の部分に向けて負イオンを発生させる第２の発生手段とを備える、請求項１に記載の保管庫。
【請求項３】
前記開閉手段の開閉状態を検出する検出手段をさらに含み、
前記制御手段は、前記検出手段が前記開閉手段の開状態を検出した場合には前記イオン発生手段を前記第２のモードで運転させ、前記検出手段が前記開閉手段の閉状態を検出した場合には前記イオン発生手段を前記第１のモードで運転させる、請求項１に記載の保管庫。
【請求項４】
前記開閉手段は、収納空間の第１の部分と第２の部分を開状態とし、
前記検出手段は、前記第１の部分が開状態とされたか否か、および、前記第２の部分が開状態とされたか否かを検出し、
前記イオン発生手段は、前記第１の部分に向けて負イオンを発生させる第１の発生手段と、前記第２の部分に向けて負イオンを発生させる第２の発生手段とを備え、
前記制御手段は、
前記検出手段が前記第１の部分の開状態を検出した場合には、前記イオン発生手段に前記第１の発生手段で負イオンを発生させ、
前記検出手段が前記第２の部分の開状態を検出した場合には、前記イオン発生手段に前記第２の発生手段で負イオンを発生させる、請求項３に記載の保管庫。
【請求項５】
前記開閉手段は、左右方向にスライドされることによって前記収納空間の開閉状態を切り替える引戸によって構成され、
前記検出手段は、前記収納空間が密閉された状態から前記引戸が一定距離以上スライドされたことにより、前記収納空間が開状態とされたと検出する、請求項３に記載の保管庫。
【請求項６】
前記開閉手段は、上下方向にスライドされることによって前記収納空間の開閉状態を切り替える吊戸によって構成され、
前記検出手段は、前記収納空間が密閉された状態から前記吊戸が一定距離以上上下方向スライドされたことにより、前記収納空間が開状態とされたと検出する、請求項３に記載の保管庫。
【請求項７】
音声または表示により報知動作を行なう報知手段をさらに含み、
前記報知手段は、前記検出手段が所定時間以上継続して前記開閉手段の開状態を検出している場合に報知動作を行なう、請求項３に記載の保管庫。
【請求項８】
前記制御手段は、前記検出手段が特定時間以上継続して前記開閉手段の開状態を検出している場合には、前記イオン発生手段を前記第１のモードで運転させる、請求項３〜請求項７のいずれかに記載の保管庫。
【発明の詳細な説明】
【技術分野】
【０００１】
本発明は、イオン発生装置を備えた保管庫に関し、特に、開閉可能に構成され、開閉作業を行なう者に使い勝手の良い保管庫に関する。
【背景技術】
【０００２】
従来から、正イオンと負イオンとを発生するイオン発生素子およびそれを庫内に拡散する送風手段を有する保管庫が、特許文献１に開示されている。このような保管庫では、送風手段が備えられることにより、紫外線やオゾンを用いた保管庫において、保管物が紫外線を照射されない影部の発生、安全性、材質の劣化、コスト高、といった問題を解決することができる。
【０００３】
図１０〜図１３に従来の保管庫を示す。なお、図１０，図１１は、従来の保管庫１００の閉鎖状態の正面図，矢視断面図である。また、図１２，図１３は、従来の保管庫１００の開放状態の正面図，矢視断面図である。
【０００４】
保管庫１００は、引戸１０５を備えており、取手１０６を作用点として左右にスライドさせることで、庫内を閉鎖・開放する構造となっている。
【０００５】
庫内上部にはイオン発生装置１０２が設置されている。イオン発生装置１０２は、実線の矢印で示されるように、吹き出し口１０３よりイオンが吹き出す。イオン発生装置１０２は、例えば図示しないファンモータやイオン発生素子より構成されて、吸い込み口１０４より庫内の空気を吸い込み、吸い込んだ空気を電極面等のイオン発生部分を通過させて、吹き出し口１０３より空気と共に正負イオンを吹き出す。イオン発生装置１０２が連続して正負イオンを吹き出すことにより、保管庫１００は、庫内の空気を正負イオンで充満することができるようになっている。
【特許文献１】特開２００４−９７４６４号公報
【発明の開示】
【発明が解決しようとする課題】
【０００６】
作業者が保存庫に対して物を出し入れする場合、保管庫内に保管されている物の中から所望の物を探して取り出す、使用してから保管庫内に戻す、あるいは、保管庫から物を取り出した後、取り出した物の中から保存庫近傍で一部を抜き取り再び保管庫内に戻す等といった状況が考えられる。このような作業を作業者が行なう場合、保管庫内は、一定時間開放され外部と接触するため、保管庫の除菌効果は低減することになる。このことから、除菌効果の低減を回避するべく急いで作業を行なおうとした場合や、保管庫内で所望する物を見つけられず探している場合には、作業者のイライラが増大する。
【０００７】
こういった場合、保管庫内の除菌効果よりも作業者の作業性を優先させた方が良いと考えられる。
【０００８】
しかしながら従来技術では、保管庫の除菌についてのみ検討がなされており、作業者の作業性についてはあまり考慮されていなかった。
【０００９】
本発明は係る実情に鑑み考え出されたものであり、その目的は、保管庫において、除菌効果を備えつつ作業者の作業性を向上させることである。
【課題を解決するための手段】
【００１０】
本発明に従った保管庫は、閉鎖可能な物品の収納空間と、当該収納空間に正イオンと負イオンとを発生させるイオン発生手段と、当該収納空間を開閉させる開閉手段とを含む保管庫であって、前記イオン発生手段は、正イオンおよび負イオンを発生させる第１のモードと、負イオンを発生させる第２のモードとで運転可能であり、前記イオン発生手段の運転モードを前記第１のモードと前記第２のモードとで切り替えることができる制御手段をさらに含むことを特徴とする。
【００１１】
また、本発明に従った保管庫では、前記開閉手段は、収納空間の第１の部分と第２の部分を開状態とし、前記イオン発生手段は、前記第１の部分に向けて負イオンを発生させる第１の発生手段と、前記第２の部分に向けて負イオンを発生させる第２の発生手段とを備えることが好ましい。
【００１２】
また、本発明に従った保管庫は、前記開閉手段の開閉状態を検出する検出手段をさらに含み、前記制御手段は、前記検出手段が前記開閉手段の開状態を検出した場合には前記イオン発生手段を前記第２のモードで運転させ、前記検出手段が前記開閉手段の閉状態を検出した場合には前記イオン発生手段を前記第１のモードで運転させることが好ましい。
【００１３】
また、本発明に従った保管庫では、前記開閉手段は、収納空間の第１の部分と第２の部分を開状態とし、前記検出手段は、前記第１の部分が開状態とされたか否か、および、前記第２の部分が開状態とされたか否かを検出し、前記イオン発生手段は、前記第１の部分に向けて負イオンを発生させる第１の発生手段と、前記第２の部分に向けて負イオンを発生させる第２の発生手段とを備え、前記制御手段は、前記検出手段が前記第１の部分の開状態を検出した場合には、前記イオン発生手段に前記第１の発生手段で負イオンを発生させ、前記検出手段が前記第２の部分の開状態を検出した場合には、前記イオン発生手段に前記第２の発生手段で負イオンを発生させることが好ましい。
【００１４】
また、本発明に従った保管庫では、前記開閉手段は、左右方向にスライドされることによって前記収納空間の開閉状態を切り替える引戸によって構成され、前記検出手段は、前記収納空間が密閉された状態から前記引戸が一定距離以上スライドされたことにより、前記収納空間が開状態とされたと検出することが好ましい。
【００１５】
また、本発明に従った保管庫では、前記開閉手段は、上下方向にスライドされることによって前記収納空間の開閉状態を切り替える吊戸によって構成され、前記検出手段は、前記収納空間が密閉された状態から前記吊戸が一定距離以上上下方向スライドされたことにより、前記収納空間が開状態とされたと検出することが好ましい。
【００１６】
また、本発明に従った保管庫は、音声または表示により報知動作を行なう報知手段をさらに含み、前記報知手段は、前記検出手段が所定時間以上継続して前記開閉手段の開状態を検出している場合に報知動作を行なうことが好ましい。
【００１７】
また、本発明に従った保管庫では、前記制御手段は、前記検出手段が特定時間以上継続して前記開閉手段の開状態を検出している場合には、前記イオン発生手段を前記第１のモードで運転させることが好ましい。
【発明の効果】
【００１８】
本発明によれば、保管庫において、閉鎖時には庫内において除菌効果を発揮させることができる。また、本発明によれば、開放時に主に負イオンを放出することで、開放された保管庫のそばにいる作業者に対し負イオンを供給することができる。これにより、保管庫のそばにいる作業者は、保管庫から供給される負イオンによって、交感神経の緊張を和らげリラックス効果を得ることができる。したがって、作業者のイライラを低減し、リラックスした状況にて上記作業を行なうことができる。
【００１９】
また、本発明によれば、開放箇所に向かって負イオンが放出されることにより、保管庫を開放して作業を行なう作業者に向けて、より積極的に負イオンを供給することができる。
【００２０】
また、本発明によれば、保管庫において、開閉状態に応じて自動的に正負イオンを放出するモードと負イオンを放出するモードとが自動的に切り替わるため、より利便性の高いものとなる。
【００２１】
また、本発明によれば、さらに吹き出し方向も切り替わるため、より効果的に作業者に負イオンを供給できる。
【００２２】
また、本発明によれば、保管庫に引き戸が備えられている場合、開放・閉鎖状態を的確に検出できる。
【００２３】
また、本発明によれば、保管庫に吊戸が備えられている場合、開放・閉鎖状態を的確に検出できる。
【００２４】
また、本発明によれば、作業者に閉め忘れを報知できるため、保管庫の除菌状態を良好に保つことができる。
【００２５】
また、本発明によれば、開放状態が開始されてから一定時間経過後に、開放か閉鎖かにかかわらず、正イオンおよび負イオンを放出するモードに切り替えられるため、保管庫が開放状態で放置された場合であっても除菌状態の悪化を低減できる。
【発明を実施するための最良の形態】
【００２６】
本発明に係る保管庫についての実施例を図面に基き以下に詳しく説明する。
［第一の実施の形態］
図１〜図４は、本発明の保管庫の第一の実施の形態を示す図である。なお、図１，図２は、保管庫１の閉鎖状態の正面図，矢視断面図である。また、図３，図４は、保管庫１の開放状態の正面図，矢視断面図である。
【００２７】
保管庫１は、左右一対の引戸５を備えている。引戸５には、それぞれ取手６が形成されている。保管庫１は、作業者によって取手６を作用点として左右方向にスライドされることにより、保管庫１の庫内を閉鎖・開放する構造となっている。
【００２８】
保管庫１の庫内上部には、イオン発生装置２が設置されている。イオン発生装置２は、左右一対の吹き出し口３を備えており、そして、各図において実線の矢印で示されるように、吹き出し口３から引戸５に向かって、斜め前方および斜め下方に、イオンが吹き出すようになっている。
【００２９】
また、イオン発生装置２は、その後方に、吸い込み口４を形成されている。そして、イオン発生装置２は、例えば図示しないファンモータやイオン発生素子を備え、吸い込み口４より庫内空気を吸い込んで、電極面等のイオン発生部分を通過させて、吹き出し口３より空気と共にイオンを吹き出す。イオン発生装置２がこのような動作を連続して行なうことにより、保管庫１の庫内の空気は、イオンで充満される。
【００３０】
また、保管庫１の庫内の上面には、引戸５の開閉を感知するためのセンサ９が、左右の引戸５毎に、例えば庫内両端から一定距離だけ離れた位置に取り付けられている。これにより、センサ９は、双方の引戸５が庫内を密閉している状態から一定距離以上スライドされた時点で初めて開状態とされたと検出する。
【００３１】
図５は、保管庫１のハードウェア構成を模式的に示す図である。
図５を参照して、保管庫１は、当該保管庫１の動作を全体的に制御する制御部１０を含む。制御部１０は、ＣＰＵ（Central Processing Unit）と、当該ＣＰＵが実行するプログラムを記憶する記憶装置と、ＣＰＵのワークエリアとなるＲＡＭ（Random Access Memory）とを含む。また、保管庫１は、タイマ１１、および、音声または表示により情報を出力する報知部１２を含む。
【００３２】
制御部１０は、センサ９の検出出力を入力され、当該検出出力に基づいてイオン発生装置２の動作を制御する。
【００３３】
制御部１０は、イオン発生装置２を、正イオンと負イオンの双方を吹き出させる第１のモードと、負イオンを吹き出させる第２のモードとで運転させることができる。なお、正負イオンを吹き出させる第１のモードでの運転と負イオンを吹き出させる第２のモードでの運転の切り替えは、例えば特許第３６０８６６１号等の先行技術に開示された同一のイオン発生装置による運転の切り替えに従って実現可能であるため、ここでは説明を繰り返さない。また、制御部１０は、イオン発生装置２に、左右２箇所の吹き出し口３のどちらからでもまた双方からでも、正負イオンまたは負イオンを吹き出させることができる。
【００３４】
制御部１０は、センサ９が、左方の引戸５が開状態とされたことを検出すると、イオン発生装置２に、左方の吹き出し口３から負イオンを吹き出させる。これにより、保管庫１の庫内から左方の引戸５の開放された部分に向けて、負イオンが供給される。また、制御部１０は、センサ９が、右方の引戸５が開状態とされたことを検出すると、イオン発生装置２に、右方の吹き出し口３から負イオンを吹き出させる。これにより、保管庫１の庫内から右方の引戸５の開放された部分に向けて、負イオンが供給される。なお、制御部１０は、イオン発生装置２に、上記のように左方または右方のいずれかに吹き出し口３から負イオンを吹きださせる場合、他方の吹き出し口３からも負イオンを吹きさせても良いし、他方の吹き出し口３からは負イオンを吹き出させないようにしても良い。
【００３５】
そして、制御部１０は、センサ９が、双方の引戸５が閉状態とされたことを検出すると、イオン発生装置２に、左右双方の吹き出し口３から正イオンと負イオンを吹き出させる。
【００３６】
なお、保管庫１では、センサ９がたとえば光センサによって構成され、制御部１０は、センサ９が引戸５に覆われているか否か、つまり、センサ９の受光状態によって、引戸５が開状態であるか否かを判断する。
【００３７】
また、保管庫１では、センサ９のそれぞれが、庫内の両端から一定距離だけ離れた位置に設置されているため、当該距離以上引戸５がスライドされたことによって初めて引戸５が開状態とされたと判断される。
【００３８】
また、制御部１０は、左右いずれかのセンサ９の少なくとも一方が引戸５の開状態を感知した状態が所定時間以上継続していると判断すると、報知部１２に警告音の出力および／または警告表示をさせることにより、作用者に対して開放状態が継続していることを報知することが好ましい。
【００３９】
また、制御部１０は、左右いずれかのセンサ９の少なくとも一方が引戸５の開状態を感知した状態が特定時間以上継続していると判断すると、イオン発生装置２の運転を、負イオンを吹き出させるモードから、正イオンと負イオンとを吹き出させるモードに切り替えることが好ましい。
【００４０】
［第二の実施の形態］
図６〜図９に、本発明の保管庫の第二の実施の形態を示す。
【００４１】
本実施の形態の保管庫１は、吊戸式である。なお、図６，図７は、保管庫１の閉鎖状態の正面図，矢視断面図である。また、図８，図９は、保管庫１の開放状態の正面図，矢視断面図である。
【００４２】
保管庫１は、当該保管庫１を開閉する吊戸７を備えている。保管庫１は、吊戸７が上下方向に昇降（スライド）することによって、庫内の閉鎖・開放が切り替わる構造を有している。
【００４３】
保管庫１は、吊戸７の昇降を補助する昇降部８を備えている。昇降部８が備えられていることにより、吊戸７は、取手６を作用点として滑らかに昇降することができる。なお、保管庫１は、吊戸７を電動で昇降させる機構を備えていても良い。
【００４４】
保管庫１の庫内上部には、イオン発生装置２が設置されている。イオン発生装置２は、各図において実線の矢印で示されるように、吹き出し口３を介して、吊戸７に向かって、前方および下方にイオンが吹き出すよう構成されている。なお、イオン発生装置２の概略構成は、特記する場合を除いて、第一の実施の形態と同様である。
【００４５】
保管庫１の庫内上面には、吊戸７の開閉を感知させるためのセンサ９が備えられている。センサ９は、特記する場合を除いて、第一の実施の形態と同様である。なお、センサ９は、庫内を密閉している状態にある吊戸７の上端から一定距離離れた位置に取り付けられている。これにより、センサ９は、吊戸７が一定距離以上下方にスライドされたときに初めて開状態であると検出する。
【００４６】
本実施の形態の保管庫１も、第一の実施の形態の保管庫１と同様のハードウェア構成を備えている。本実施の形態の制御部１０も、特記する場合を除いて、第一の実施の形態の制御部１０と同様の制御動作を実行する。
【００４７】
たとえば、制御部１０は、イオン発生装置２を、正イオンと負イオンの双方を吹き出させる第１のモードと、負イオンを吹き出させる第２のモードとで運転させることができる。
【００４８】
制御部１０は、センサ９が、吊戸７が開状態とされたことを検出すると、イオン発生装置２に、吹き出し口３から負イオンを吹き出させる。これにより、保管庫１の庫内が開放状態とされると、庫内から吊戸７の開放部分に向けて、負イオンが供給される。
【００４９】
そして、制御部１０は、センサ９が、吊戸７が閉状態とされたことを検出すると、吹き出し口３から正イオンと負イオンを吹き出させる。
【００５０】
なお、保管庫１では、センサ９がたとえば光センサによって構成され、制御部１０は、センサ９が吊戸７に覆われているか否か、つまり、センサ９の受光状態によって、吊戸７が開状態であるか否かを判断する。
【００５１】
また、保管庫１では、センサ９が、閉状態にある吊戸７の上端から一定距離だけ離れた位置に設置されているため、当該距離以上吊戸７が下方へスライドされたことによって初めて吊戸７が開状態とされたと判断される。
【００５２】
また、制御部１０は、吊戸７の開状態を感知された状態が所定時間以上継続していると判断すると、報知部１２に警告音の出力および／または警告表示をさせることにより、作用者に対して開放状態が継続していることを報知することが好ましい。
【００５３】
また、制御部１０は、吊戸７の開状態を感知された状態が特定時間以上継続していると判断すると、イオン発生装置２の運転を、負イオンを吹き出させるモードから、正イオンと負イオンとを吹き出させるモードに切り替えることが好ましい。
【００５４】
なお、以上説明した各実施の形態に対して、本発明の範囲内での修正および変更を加え得ることは勿論である。たとえば、イオン発生装置２の設置場所や台数、吸い込み口、吹き出し口の位置等は、各実施の形態で言及したものに限定されない。また、吸い込み口は、庫外に位置していても良い。また、本発明は、様々な形態・使用目的の保管庫にも適用できる。さらに庫内の環境は常温常湿とは限らない。
【００５５】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、各実施の形態は、可能な限り組み合わされて実施されることが意図される。
【図面の簡単な説明】
【００５６】
【図１】本発明の第一の実施の形態である保管庫の、閉鎖状態の正面図である。
【図２】図１の保管庫の矢視断面図である。
【図３】図１の保管庫の、開放状態の正面図である。
【図４】図３の保管庫の矢視断面図である。
【図５】図１の保管庫のハードウェア構成を模式的に示す図である。
【図６】本発明の第二の実施の形態である保管庫の、閉鎖状態の正面図である。
【図７】図６の保管庫の矢視断面図である。
【図８】図６の保管庫の、開放状態の正面図である。
【図９】図８の保管庫の矢視断面図である。
【図１０】従来の保管庫の、閉鎖状態の正面図である。
【図１１】図１０の保管庫の矢視断面図である。
【図１２】図１０の保管庫の、開放状態の正面図である。
【図１３】図１２の保管庫の矢視断面図である。
【符号の説明】
【００５７】
１  保管庫、２  イオン発生装置、３  吹き出し口、４  吸い込み口、５  引戸、６  取手、７  吊戸、８  昇降部、９  センサ、１０  制御部、１１  タイマ、１２  報知部。
【図１】
2008161530.tif 000003
【図２】
2008161530.tif 000004
【図３】
2008161530.tif 000005
【図４】
2008161530.tif 000006
【図５】
2008161530.tif 000007
【図６】
2008161530.tif 000008
【図７】
2008161530.tif 000009
【図８】
2008161530.tif 000010
【図９】
2008161530.tif 000011
【図１０】
2008161530.tif 000012
【図１１】
2008161530.tif 000013
【図１２】
2008161530.tif 000014
【図１３】
2008161530.tif 000015